(57)【要約】【課題】刺繍機用の上糸供給装置を提供。【解決手段】本発明による刺繍機用の上糸供給装置は、複数のボビンから移送された各上糸を針作業部にガイドする糸移動経路が形成された糸ガイド部を有し、前記糸ガイド部の糸移動経路に沿って離隔部を置いて互いに連続して設置される少なくとも一対のガイドと、前記離隔部を通過する前記複数の上糸を引ったくり、前記引ったくられた上糸が前記糸移動経路に沿って針作業部に移動する作業状態から針作業部に提供されるために待機する待機状態に移動するように、前記複数の上糸を前記糸移動経路から離隔させる糸離隔部材と、前記糸ガイド部に備えられて前記糸移動経路から離隔された上糸に移動抵抗を提供して待機状態に保持する上糸抵抗体とを含む。これにより、上糸が円滑に供給でき、刺繍作業の不良を防止することができる。【選択図】図１
2009528124.tif 000002
【特許請求の範囲】
【請求項１】
刺繍機用の上糸供給装置において、
複数のボビンから移送された各上糸を針作業部にガイドする糸移動経路が形成された糸ガイド部を有し、前記糸ガイド部の糸移動経路に沿って離隔部を置いて互いに連続して設置される少なくとも一対のガイドと、
前記離隔部を通過する前記複数の上糸を引ったくり、前記引ったくられた上糸が前記糸移動経路に沿って針作業部に移動する作業状態から針作業部に提供されるために待機する待機状態に移動するように、前記複数の上糸を前記糸移動経路から離隔させる糸離隔部材と、
前記糸ガイド部に備えられて前記糸移動経路から離隔された上糸に移動抵抗を提供して待機状態に保持する上糸抵抗体と、を含むことを特徴とする刺繍機用の上糸供給装置。
【請求項２】
前記上糸抵抗体は、ウレタン、粘着性ゴム、サンドペーパー、絨毛、両面テープ、ベルクロ布及び前記ガイドから突出した突出部のうち、いずれか一つであることを特徴とする請求項１に記載の刺繍機用の上糸供給装置。
【請求項３】
前記上糸抵抗体は、前記糸ガイド部に点状、線状及び面状のうち、いずれか一つとして設置されることを特徴とする請求項１または２に記載の刺繍機用の上糸供給装置。
【発明の詳細な説明】
【技術分野】
【０００１】
本発明は、刺繍機用の上糸供給装置に係り、より詳しくは、上糸の供給構造を改善した刺繍機用の上糸供給装置に関する。
【背景技術】
【０００２】
自動刺繍機は様々な色の糸を用いて衣類や履物のラベルなどに所定のプログラムにより自動的に刺繍して所定のパターン及び商標などを形成する自動裁縫機の一種である。
【０００３】
一般に、自動刺繍機は、固定フレームの前方に備えられるヘッドステムと、ヘッドステムが装着されて複数のボビンから様々な色の上糸を刺繍作業の実行方向に供給する上糸供給装置と、その上糸供給装置により供給された上糸を通して刺繍作業を行う針作業部と、を含む。このような自動刺繍機は上糸供給装置及び針作業部に装着された針の数に応じてシングル針用（Ｓｉｎｇｌｅ  Ｎｅｅｄｌｅ）及びマルチ針用（Ｍｕｌｔｉ  Ｎｅｅｄｌｅ）とに分かる。
【０００４】
シングル針用の自動刺繍機は、複数のボビンから様々な色の上糸のうち、いずれか一色を選択して針作業部に供給する上糸供給装置と、供給される一本の上糸を通して刺繍作業を行うように一本の針を有する針作業部と、を含む。
【０００５】
マルチ針用の自動刺繍機は、複数のボビンから様々な色の上糸を針作業部に供給する上糸供給装置と、供給される複数の上糸をそれぞれ通していずれか一つが刺繍作業を行うように複数の針を有する針作業部と、を含む。
【０００６】
以下、シングル針用の自動刺繍機について説明する。
従来のシングル針用の自動刺繍機の上糸供給装置は韓国公開特許第２００５-１８６８５号に開示されている。
【０００７】
このような従来の自動刺繍機の上糸供給装置は、針作業部を有するヘッドステムと、ヘッドステムが装着されて複数のボビンから移送された複数の上糸のうちいずれか一つを針作業部に供給する糸供給部と、ボビンと糸供給部との間に複数の上糸を収容する糸収容部を形成し、複数の上糸を糸収容部に収容するように移動させる糸待機量調節ユニットと、を含む構成を有する。
【０００８】
糸待機量調節ユニットは、ボビンと糸供給部との間に備えられる上糸の所定の長さを待機状態にして収容可能に糸収容部が形成されている糸待機量調節本体と、複数の上糸を待機するように糸収容部に移動させる糸待機量調節バーと、を有する。
【０００９】
しかしながら、従来の自動刺繍機の上糸供給装置は、糸待機量調節本体の糸収容部で待機状態にある上糸が、糸待機量調節バーの上昇により、糸収容部内で糸待機量調節バーにより移動した形状を保持せず、自由自在に糸収容部に収容されるため、糸収容部内の待機状態にある上糸がもつれるかねじれる恐れがある。これにより、上糸が糸供給部に円滑に供給されず刺繍作業の不良をもたらす恐れもある。
【発明の開示】
【発明が解決しようとする課題】
【００１０】
したがって、本発明の目的は、上糸を円滑に供給して刺繍作業の不良が防止できる刺繍機用の上糸供給装置を提供することである。
【課題を解決するための手段】
【００１１】
前記目的を達成するために、本発明は、複数のボビンから移送された各上糸を針作業部にガイドする糸移動経路が形成された糸ガイド部を有し、前記糸ガイド部の糸移動経路に沿って離隔部を置いて互いに連続して設置される少なくとも一対のガイドと、前記離隔部を通過する前記複数の上糸を引ったくり、前記引ったくられた上糸が前記糸移動経路に沿って針作業部に移動する作業状態から針作業部に提供されるために待機する待機状態に移動するように、前記複数の上糸を前記糸移動経路から離隔させる糸離隔部材と、前記糸ガイド部に備えられて前記糸移動経路から離隔された上糸に移動抵抗を提供して待機状態に保持する上糸抵抗体と、を含むことを特徴とする刺繍機用の上糸供給装置を提供する。
【００１２】
ここで、上糸抵抗体としては、ウレタン、粘着性ゴム、サンドペーパー、絨毛、両面テープ、ベルクロ布及びガイドから突出した突出部のうちいずれか一つであることが好ましい。
【００１３】
また、上糸抵抗体は、糸ガイド部に点状、線状及び面状のうちいずれか一つとして設置されることが好ましい。
【発明の効果】
【００１４】
本発明によれば、上糸の供給構造を改善することにより、上糸を円滑に供給でき、刺繍作業の不良が防止できる刺繍機用の上糸供給装置を提供する。
【発明の実施のための最良の形態】
【００１５】
以下、本発明ではシングル針用の自動刺繍機を実施形態にして添付図面を参照しながら詳細に説明する。
図１乃至図３に示したように、本発明による刺繍機用の上糸供給装置１は、固定フレーム５と、固定フレーム５の前方に備えられ、その下側に針作業部（図示せず）が装着されたヘッドステム７と、ヘッドステム７に装着されて異なる色を有する複数のボビン９から移送された複数の上糸３から選択されたいずれか一つを針作業部に供給する糸供給部１０と、ボビン９と糸供給部１０との間に備えられる複数の上糸を待機させる糸待機量調節ユニット２０と、を有する。
【００１６】
固定フレーム５は地面のような水平面に装着されるか、壁面や他の機械装置などに結合してヘッドステム７などを支持する役割を果たす。
【００１７】
ヘッドステム７はその前面に糸供給部１０と針作業部（図示せず）などを支持するようにほとんど四角板形状を有することが好ましいが、このような糸供給部１０などを支持するように様々な形状を有することができる。
【００１８】
糸供給部１０は、複数のボビン９から移送された各上糸３の端部を収容して待機させる複数の糸待機管１２を有する糸供給ブロック１１と、糸供給ブロック１１の下側に糸待機管１２とそれぞれ連通するように備えられた複数の連結管１５と、複数の連結管１５と連通する一つの糸ガイド管１９と、複数の連結管１５及び糸ガイド管１９を支持する支持管１７と、糸供給ブロック１１に備えられた複数の糸待機管１２とそれぞれ連通するように設置されて高圧の空気を選択的に噴射することにより、複数の糸待機管１２に収容された複数の上糸３からいずれか一つを選択して針作業部に供給する空気供給部１３と、を含む。また、糸供給部１０は、支持管１７に結合して複数の連結管１５のうちいずれか一つを通して移送された上糸３を糸ガイド管１９を通して針作業部に容易に供給するために空気を噴射する補助空気供給部１８をさらに含むことが好ましい。
【００１９】
糸待機量調節ユニット２０は、各糸ボビン９から移送された上糸３を針作業部にガイドする糸移動経路が形成されている複数の糸ガイド部２３を有し、各糸ガイド部２３の糸移動経路に沿って離隔部２７を置いて互いに連続して設置される複数のガイド２１と、離隔部２７を通過する複数の上糸３を引ったくり、上糸３が糸移動経路に沿って針作業部に移動する作業状態から針作業部に提供されるために待機する待機状態に移動するように上糸３を糸移動経路から離隔させる糸離隔部材３１と、糸ガイド部２３に備えられて糸移動経路から離隔された上糸３に移動提供を提供して待機状態に保持する上糸抵抗体３９と、を有する。
【００２０】
本実施例においては、四つのガイド２１が互いに連続して直列配置されており、各ガイド２１の下端部は一体に結合されている。各ガイド２１の糸ガイド部２３は互いに連通し、各糸ガイド部２３には糸移送経路の横向きに離隔部２７と並んで配置されて上糸３の移動経路を転換する隔壁２９が備えられている。また、ガイド２１はほとんど四角ブロック形状を有することが好ましい。
【００２１】
離隔部２７は糸離隔部材３１を収容可能にガイドする。また、離隔部２７は糸移送経路の横向きに隔壁２９と並んで形成されることが好ましい。本発明の実施例では、四つのガイド２１が備えられるため、三つの離隔部２７が設置される。各離隔部２７は各ガイド２１の複数の上糸３に対応する糸ガイド部２３と連通するように備えられる。
【００２２】
糸離隔部材３１は離隔部２７に移動可能に収容され、離隔部２７を通過する複数の上糸３を引ったくり糸移動経路に位置した作業状態から待機状態に移動するように上糸３を糸移動経路から離隔させる。糸離隔部材３１は複数の上糸３の上側に備えられることが好ましく、離隔部２７の数に対応するように備えることが好ましい。本発明では、三つの離隔部２７が備えられるため、三つの糸離隔部材３１を設置する。また、糸離隔部材３１の一側には複数の糸離隔部材３１と一体に形成または結合される離隔部材支持部３３が備えられることが好ましい。
【００２３】
離隔部材支持部３３は糸離隔部材３１を離隔部２７に沿って移動させる離隔部材駆動部３５と結合されることが好ましい。
【００２４】
離隔部材駆動部３５は一側が離隔部材支持部３３に結合されて離隔部材支持部３３を上・下向きに往復移動可能にするシリンダー装置であることが好ましいが、離隔部材支持部３３と連結されて離隔部材支持部３３を上・下向きに往復移動可能にするベルト及び駆動モーターであることも好ましい。
【００２５】
多数の上糸抵抗体３９は所定の断面積を有するシート形状を有する。本実施例では、上糸抵抗体３９が上糸３と面接触して移動抵抗を提供するように各ガイド２１の糸ガイド部２３の両内側面に所定の間隔で面状として設置されている。
【００２６】
ここで、上糸抵抗体３９は、ウレタン、粘着性ゴム、サンドペーパー、絨毛、両面テープ、ガイド２１の糸ガイド部２３の両内側面から突出した突出部（図示せず）のうちいずれか一つからなることができる。さらに、上糸抵抗体３９は糸ガイド部２３に点状、線状または面状として設置できる。
【００２７】
糸待機量調節ユニット２０はボビン９とガイド２１との間に備えられてガイド２１に移送される複数の上糸３が遮断できる糸移送遮断部４１をさらに含むことが好ましい。
【００２８】
糸移送遮断部４１は一側のガイド２１の後方に装着されて糸ガイド部２３に移送される複数の上糸３を遮断するように備えられる。また、糸移送遮断部４１は複数の上糸３を隔てて互いに接触及び離脱する第１及び第２の遮断部４３、４５を有することが好ましい。
【００２９】
第１の遮断部４３はガイド２１と近接した位置に備えられ、第２の遮断部４５は第１の遮断部４３の上側に複数の上糸３を隔て備えられる。また、第１及び第２の遮断部４３、４５には、第１及び第２の遮断部４３、４５を互いに接触及び離脱させて上糸３の移送を遮断及び許容する遮断駆動部４９が装着されることが好ましい。
【００３０】
さらに、第１及び第２の遮断部４３、４５の対抗面には、第１及び第２の遮断部４３、４５が互いに接触するとき、複数の上糸３を弾性的に加圧するように弾性部材４７が備えられることが好ましい。第２の遮断部４５には、ボビン９から移送される複数の上糸３がそれぞれ貫通するように貫通孔が備えれることが好ましい。
【００３１】
遮断駆動部４９は、一側が第１及び第２の遮断部４３、４５と結合して第２の遮断部４５を第１の遮断部４３の方向に移動させて接触させるか、第１の遮断部４３から離脱させて複数の上糸３の移送を遮断または許容するシリンダー装置であることが好ましい。
【００３２】
さらに、本発明による刺繍機用の上糸供給装置１は、糸待機量調節ユニット２０と糸供給部１０との間に備えられて糸待機量調節ユニット２０から糸供給部１０に移送される複数の上糸３を支持する糸支持部５０をさらに含むことが好ましく、ボビン９と糸待機量調節ユニット２０との間に備えられてボビン９から糸待機量調節ユニット２０に移送される複数の上糸３を支持及びガイドする糸支持ガイド部６０をさらに含むことが好ましい。
【００３３】
糸支持部５０は、糸待機量調節ユニット２０と糸供給部１０との間に備えられる支持プレート５１と、 糸待機量調節ユニット２０に近接した支持プレート５１に備えられて糸待機量調節ユニット２０と糸供給部１０との間に備えられる複数の上糸３を支持する第１の支持部５３と、糸供給部１０に近接した支持プレート５１に備えられて第１の支持部５３と糸供給部１０との間に備えられる複数の上糸３を支持する第２の支持部５５と、を含む。
【００３４】
支持プレート５１はヘッドステム７の上側に板形状として備えられることが好ましい。第１の支持部５３は複数の上糸３をそれぞれ収容するようにワイヤを数回にかけて折り曲げて形成する。さらに、第２の支持部５５は糸供給部１０の上側に複数として貫通形成されることが好ましい。
【００３５】
糸支持ガイド部６０は糸ボビン９と糸待機量調節ユニット２０との間に備えられて糸ボビン９から糸待機量調節ユニット２０に移送される複数の上糸３を支持する糸支持台６１と、糸支持台６１に備えられて糸待機量調節ユニット２０に複数の上糸３をガイドする糸ガイド部材６３と、を含む。
【００３６】
糸支持台６１は一側のガイド２１の後方に“Ｔ”字形状に備えられて複数の上糸３を支持する。また、糸ガイド部材６３は“Ｌ”字形状の断面として糸支持台６１の上部領域の一側に延長形成され、複数の上糸３を掛けてガイドするように貫通孔が形成される。
【００３７】
このような構成により、本発明による刺繍機用の上糸供給装置に備えられた糸待機量調節ユニット２０の作動過程を調べると、次のようである。
【００３８】
まず、図４乃至図６に示したように、糸待機量調節ユニット２０に複数の上糸３を収容して待機させる準備過程について説明する。
【００３９】
図４に示したように、複数の上糸３をそれぞれ糸ボビン９から糸支持ガイド部６０、糸移送遮断部４１、各ガイド２１の糸ガイド部２３及び糸支持部５０を通過して糸供給部１０に移送させる。
【００４０】
その後、離隔部材駆動部３５を駆動させて糸離隔部材３１を離隔部２７に沿って下方に移動させる。この際、糸移送遮断部４１は上糸３の移送を許容する状態を保持する。図５に示したように、糸移動経路から離隔された複数の上糸３は糸離隔部材３１により糸ガイド部２３の下方に移動し糸ガイド部２３の側面に設置された上糸抵抗体３９に接触しながら、糸離隔部材３１により移動した形状を保持し糸ガイド部２３に整列される。すなわち、上糸３は上糸抵抗体３９により糸ガイド部２３内でもつれるかねじられることなく、待機状態を保持する。
【００４１】
次に、図６に示したように、再度糸離隔部材３１を離隔部２７に沿って上方に移動させる。
その後、複数の上糸３の端部を糸供給部１０の糸待機管１２に挿入させる。すると、針作業部に上糸３を供給するための準備状態が完了する。
【００４２】
このような準備状態が完了すると、空気供給部１３を通して高圧の空気を噴射させて糸待機管１２に収容された複数の上糸３からいずれか一つを選択して針作業部に移送させる。この際、糸待機量調節ユニット２０の糸ガイド部２３に収容されて待機中である上糸３から選択された一つが移送されて針作業部に供給される。また、選択されない残り上糸３は糸ガイド部２３に備えられた上糸抵抗体３９と接触して移動抵抗を受け、針作業部に提供されるために待機する待機状態を保持する。この際、上糸抵抗体３９により待機状態を保持する上糸３は糸離隔部材３１により移動された形状を保持し、きちんと整列された状態として糸ガイド部２３に待機する。
【００４３】
すると、針作業が行われる上糸３は糸ボビン９から移送されて各ガイド２１の糸ガイド部２３の糸移動経路から糸供給部１０を通して連続して針作業部に供給される。
【００４４】
また、上糸３が切断されるか他の上糸３への交換のために上糸３を回収するために、図７及び図８に示したように、遮断駆動部４９を作動させて糸移送遮断部４１の第１の遮断部４３及び第２の遮断部４５を接触させる。これにより、ボビン９から糸待機量調節ユニット２０に上糸３の移送が遮断される（図７を参照）。その後、離隔部材駆動部３５を作動させて糸離隔部材３１を下方に移動させると、針作業部に供給された上糸３が再び糸待機管１２に回収される（図８を参照）。
【００４５】
離隔部材駆動部３５を作動させて糸離隔部材３１を上方に移動させる。
その後、遮断駆動部４９を作動させて糸移送遮断部４１の第１の遮断部４３に接触した第２の遮断部４５を離脱させる。この状態で空気供給部１３を通して高圧の空気を噴射させて糸待機管１２に収容された複数の上糸３からいずれか一つを選択して針作業部に移送させる。これにより、糸待機量調節ユニット２０の糸収容部２３に収容されて待機している上糸３が移送されて針作業部に向ける。
【００４６】
このように複数のボビンから移送された各上糸を針作業部にガイドする糸移動経路が形成されている糸ガイド部に備えられた糸移動経路から離隔された上糸に移動抵抗を提供して待機状態に保持する上糸抵抗体を備えることにより、上糸を円滑に供給でき、刺繍作業の不良を防止することができる。
【００４７】
一方、図９及び図１０には、糸待機量調節ユニット２０の他の実施例として、多数の上糸抵抗体３９が隣接する一対のガイド２１間の離隔部２７に配置されている。すなわち、上糸抵抗体３９は隣接する一側のガイド２１に向いて突出するように他側のガイド２１に装着されている。これにより、本発明の他の実施例による糸待機量調節ユニット２０は、各ガイド２１の糸ガイド部２３に上糸３が移動するとき、 各々の経路に移動せず他の経路に移動することが防止できる。ここで、上糸抵抗体３９は、糸離隔部材３１の乗降作動時に弾性変形が可能になるように、厚さの薄い板状のウレタンからなることが好ましい。
【００４８】
本発明の思想がシングル針用の自動刺繍機及びマルチ針用の自動刺繍機、ミシンなどの様々な刺繍機に適用可能なのは、この技術分野における通常の知識を持つ者に明らかである。
【図面の簡単な説明】
【００４９】
【図１】本発明による刺繍機用の上糸供給装置を示した斜視図である。
【図２】図１の糸待機量調節ユニットの拡大斜視図である。
【図３】図２のＩＩＩ−ＩＩＩ線による断面図である。
【図４】本発明による刺繍機用の上糸供給装置の糸待機量調節ユニットに複数の上糸を収容して待機させる過程を示した断面図である。
【図５】本発明による刺繍機用の上糸供給装置の糸待機量調節ユニットに複数の上糸を収容して待機させる過程を示した断面図である。
【図６】本発明による刺繍機用の上糸供給装置の糸待機量調節ユニットに複数の上糸を収容して待機させる過程を示した断面図である。
【図７】本発明による刺繍機用の上糸供給装置の糸待機量調節ユニットが供給された上糸を回収する過程を示した断面図である。
【図８】本発明による刺繍機用の上糸供給装置の糸待機量調節ユニットが供給された上糸を回収する過程を示した断面図である。
【図９】本発明の他の実施例による刺繍機用の上糸供給装置の糸待機量調節ユニットの断面図である。
【図１０】図９の平面図である。
【符号の説明】
【００５０】
１  上糸供給装置
３  上糸
７  ヘッドステム
９  ボビン
１０  糸供給部
１１  糸供給ブロック
１２  糸待機管
１３  空気供給部
１５  連結管
１７  支持管
１８  補助空気供給部
１９  糸ガイド管
２０  糸待機量調節ユニット
２１  ガイド
２３  糸ガイド部
２７  離隔部
２９  隔壁
３１  糸離隔部材
３３  離隔部材支持部
３５  離隔部材駆動部
３９  上糸抵抗体
４１  糸移送遮断部
４３  第１の遮断部
４５  第２の遮断部
４７  弾性部材
４９  遮断駆動部
５０  糸支持部
５１  支持プレート
５３  第１の支持部
５５  第２の支持部
６０  糸支持案内部
６１  糸支持台
６３  糸案内部材
【図１】
2009528124.tif 000003
【図２】
2009528124.tif 000004
【図３】
2009528124.tif 000005
【図４】
2009528124.tif 000006
【図５】
2009528124.tif 000007
【図６】
2009528124.tif 000008
【図７】
2009528124.tif 000009
【図８】
2009528124.tif 000010
【図９】
2009528124.tif 000011
【図１０】
2009528124.tif 000012
【国際調査報告】
2009528124.tif 000013
2009528124.tif 000014